(57)【要約】【課題】本発明の目的は、内容物充填後の作業を良好に行うことのできるフレコンパックを提供することにある。【解決手段】上部に充填口２２を有し、該充填口２２より内容物が入れられる袋本体１２と、該袋本体１２の上部に対向して設けられ、該袋本体１２を吊るすための吊手１４，１６と、該袋本体１２の側壁に対向して設けられ、該袋本体１２を補強する補強帯１８，２０と、を備え、該内容物の充填時にカゴ車にセットされ、該内容物の充填後に該吊手１４，１６を用いて該カゴ車から搬出されるフレコンパック１０であって、該補強帯１８，２０は、それぞれ該吊手１４，１６に連続して設けられ、かつ該袋本体１２の側壁に略Ｘ字状に襷掛けされていることを特徴とするフレコンパック１０。【選択図】図１
2007091315.tif 000002
【特許請求の範囲】
【請求項１】
上部に充填口を有し、該充填口より内容物が入れられる袋本体と、
前記袋本体の上部に対向して設けられ、該袋本体を吊るすための吊手と、
前記袋本体の側壁に対向して設けられ、該袋本体を補強するための補強帯と、
を備え、前記内容物の充填時にカゴ車にセットされ、該内容物の充填後に前記吊手を用いて該カゴ車から搬出されるフレコンパックであって、
前記補強帯は、それぞれ前記吊手に連続して設けられ、かつ前記袋本体の側壁に略Ｘ字状に襷掛けされていることを特徴とするフレコンパック。
【請求項２】
請求項１記載のフレコンパックにおいて、
前記補強帯は、それぞれ前記袋本体の側壁上部から側壁下部にかけて、該袋本体の側壁に略斜めに襷掛けされ、さらに該袋本体の側壁下部に沿って設けられていることを特徴とするフレコンパック。
【請求項３】
請求項１又は２記載のフレコンパックにおいて、
前記袋本体は、その下端に内容物を排出するための内側排出口を有し、
また前記袋本体の前記内側排出口を下方から覆うように開閉自在に設けられ、外側排出口を有する下部外蓋体と、
前記外側排出口を前記下部外蓋体の内側より覆うように該外側排出口よりも大きいサイズを有し、該下部外蓋体と共に開閉自在に設けられた下部内蓋体と、
前記袋本体下部に設けられ、前記内側排出口を開閉するための内側排出口用開閉手段と、
前記下部外蓋体に設けられ、前記下部外蓋体を開閉するための下部外蓋体用開閉手段と、
を備え、前記内容物の充填時に、前記内側排出口が前記内側排出口用開閉手段で閉じられ、前記下部外蓋体が前記外蓋体用開閉手段で閉じられ、前記外側排出口が該下部外蓋体内側より前記下部内蓋体で閉じられており、
前記内容物の排出時に、前記下部外蓋体用開閉手段で前記下部外蓋体と共に前記下部内蓋体が開かれることにより前記外側排出口が開かれ、前記内側排出口用開閉手段で前記内側排出口が開かれることを特徴とするフレコンパック。
【発明の詳細な説明】
【技術分野】
【０００１】
本発明はフレコンパック、特にその作業性の向上機構の改良に関する。
【背景技術】
【０００２】
従来より、資源を有効に利用するため、資源ごみの分別回収が行われている。
資源ごみの分別回収のため、例えば生協等では、回収されたパンフレット、牛乳パック、ペットボトル、缶等の資源ごみを入れるための回収容器が設置されている。
回収容器としては、フレコンパックが用いられている。
【０００３】
フレコンパックとしては、例えば資源ごみ用でなく、土木工事用であるが、袋本体と、吊手と、を備えるものがある（例えば特許文献１）。
【０００４】
回収された資源ごみは、カゴ車にセットされているフレコンパックに入れられる。
フレコンパックは、回収ごみで満杯になると、吊手を用いて吊り上げられ、カゴ車から搬出され、保管場所や処理場等に搬送される。
資源ごみの再利用のための処理場では、フレコンパックが吊手を用いて吊り上げられ、内容物の排出等が行われる。
このようにしてフレコンパックによる資源ごみの回収が行われている。
【特許文献１】特開２００２−３２７４１７号公報
【発明の開示】
【発明が解決しようとする課題】
【０００５】
しかしながら、前記従来方式のフレコンパックにあっても、内容物充填後の作業性は改善の余地が残されていたものの、従来は、これを解決することのできる適切な技術が存在しなかった。
本発明は前記従来技術の課題に鑑みなされたものであり、その目的は、内容物充填後の作業を良好に行うことのできるフレコンパックを提供することにある。
【課題を解決するための手段】
【０００６】
前記目的を達成するために本発明にかかるフレコンパックは、袋本体と、吊手と、補強帯と、を備え、内容物の充填時にカゴ車にセットされ、該内容物の充填後に該カゴ車から搬出されるフレコンパックであって、
前記補強帯は、それぞれ前記吊手に連続して設けられ、かつ該袋本体の側壁に略Ｘ字状に襷掛けされていることを特徴とする。
【０００７】
ここで、前記袋本体は、上部に充填口を有し、該充填口より内容物が入れられる。
また前記吊手は、前記袋本体の上部に対向して設けられ、該袋本体を吊るすためのものとする。
前記補強帯は、前記袋本体の側壁に対向して設けられ、該袋本体を補強するためのものとする。
【０００８】
本発明の内容物としては、例えば資源ごみが一例として挙げられる。資源ごみとしては、例えば回収されたパンフレット、牛乳パック、ペットボトル、缶等が一例として挙げられる。
【０００９】
なお、本発明において、前記補強帯は、それぞれ前記袋本体の側壁上部から側壁下部にかけて、該袋本体の側壁に斜めに襷掛けされ、さらに該袋本体の側壁下部に沿って設けられていることが好適である。
【００１０】
また本発明において、前記袋本体は、その下端に内容物を排出するための内側排出口を有する。また本発明においては、下部外蓋体と、下部内蓋体と、内側排出口用開閉手段と、下部外蓋体用開閉手段と、を備える。
ここで、前記下部外蓋体は、前記袋本体の前記内側排出口を下方から覆うように開閉自在に設けられ、外側排出口を有する。
また、前記下部内蓋体は、前記外側排出口を前記下部外蓋体の内側より覆うように該外側排出口よりも大きいサイズを有し、該下部外蓋体と共に開閉自在に設けられる。
前記内側排出口用開閉手段は、前記袋本体下部に設けられ、前記内側排出口を開閉するためのものとする。
前記下部外蓋体用開閉手段は、前記下部外蓋体に設けられ、前記下部外蓋体を開閉するためのものとする。
そして、前記内容物の充填時には、前記内側排出口が前記内側排出口用開閉手段で閉じられ、前記下部外蓋体が前記下部外蓋体用開閉手段で閉じられ、前記外側排出口が該下部外蓋体内側より前記下部内蓋体で閉じられている。
また前記内容物の排出時には、前記下部外蓋体用開閉手段で前記下部外蓋体と共に前記下部内蓋体が開かれることにより前記外側排出口が開かれ、前記内側排出口用開閉手段で前記内側排出口が開かれることが好適である。
【発明の効果】
【００１１】
本発明にかかるフレコンパックによれば、袋本体の側壁において吊手に連続して設けられ、略Ｘ字状に襷掛けされた補強帯を備えることとしたので、内容物充填後の作業を良好に行うことができる。
本発明においては、前記補強帯を、袋本体の側壁上部から側壁下部にかけて袋本体側壁に斜めに襷掛けし、さらに該側壁下部に沿って設けることにより、前記内容物充填後の作業を、より良好に行うことができる。
本発明においては、前記袋本体に対し、内側排出口、下部内蓋体及び下部外蓋体を設けることとしたので、前記内容物充填後の作業を、より良好に行うことができる。
【発明を実施するための最良の形態】
【００１２】
以下、図面に基づき本発明の好適な一実施形態について説明する。
図１には、本発明の一実施形態かるフレコンパックの概略構成が示されている。
同図に示すカゴ車専用フレコンパック（フレコンパック）１０は、角形の袋本体１２と、輪状の吊手１４，１６と、補強帯１８，２０と、を備える。
【００１３】
ここで、前記袋本体１２は、例えば織布等よりなり、上部に充填口２２を有し、充填口２２より資源ごみ等の内容物が入れられる。
また、前記吊手１４，１６は、袋本体１２の上部より突き出して、対向して設けられ、作業時に袋本体１２を吊るすためのものとする。
前記補強帯１８，２０は、袋本体１２の側壁に対向して設けられ、袋本体１２を補強するためのものとする。
【００１４】
本実施形態において特徴的なことは、補強帯１８，２０を、それぞれ吊手１４，１６に連続して設け、かつ袋本体１２の側壁に略Ｘ字状に襷掛けしたことである。
【００１５】
次に、本実施形態にかかるフレコンパック１０について、より具体的に説明する。
図２には本実施形態にかかるフレコンパック１０の折り畳み図が示されている。
同図（Ａ）はフレコンパック１０の正面図、同図（Ｂ）は同様のフレコンパック１０の左側面図、同図（Ｃ）は同様のフレコンパック１０の背面図、同図（Ｄ）は同様のフレコンパック１０の右側面図である。
【００１６】
本実施形態において、袋本体１２は、四の側壁、例えば正面側壁１２ａ、左側壁１２ｂ、背面側壁１２ｃ及び右側壁１２ｄを含む。
正面側壁１２ａ及び背面側壁１２ｃは、相対向して設けられ、それぞれ補強帯１８，２０が略Ｘ字状に交叉している。これらを、本実施形態では、それぞれ略Ｘ字状補強部分３０，３２という。
また左側壁１２ｂ及び右側壁１２ｄは、相対向して設けられ、補強帯１８，２０が側壁下部に沿って設けられている。これらを、本実施形態では、それぞれ下部補強部分３６，３４という。
【００１７】
また、袋本体１２には、更なる補強のため、各側壁１２ａ〜１２ｄの横方向の全周にわたって、横方向補強部分３８，４０が設けられている。
袋本体１２の各側壁１２ａ〜１２ｄの上部には、例えば内容物の充填後、充填口２２を上方より覆う上部蓋体４２ａ〜４２ｄが設けられている。
【００１８】
袋本体１２は、その下端に内容物を排出するための内側排出口４４を有する。
またフレコンパック１０は、逆台形状の下部外蓋体４６ａ〜４６ｄと、下部内蓋体４８と、内側排出口用開閉手段５０と、下部外蓋体用開閉手段５２と、を備える。
ここで、下部外蓋体４６ａ〜４６ｄは、袋本体１２の内側排出口４４を下方から覆うように開閉自在に設けられ、外側排出口５４を有する。
また、下部内蓋体４８は、外側排出口５４を下部外蓋体４６ａ〜４６ｄの内側より覆うように外側排出口５４よりも大きいサイズを有し、例えば下部外蓋体４６ｃと共に開閉自在に設けられる。
内側排出口用開閉手段５０は、例えばベルト等よりなり、袋本体１２の下部を巾着結びし、内側排出口４４を閉じる。
下部外蓋体用開閉手段５２は、例えばロープ等よりなり、下部外蓋体４６ａ〜４６ｄの外側排出口５４を形成する上底に沿って、挿通して設けられ、下部外蓋体４６ａ〜４６ｄを開閉するためのものとする。
【００１９】
また、フレコンパック１０は、側壁用ヒモ６０と、カゴ車用ヒモ６２と、上蓋用ヒモ６４と、を備える。
側壁用ヒモ６０は、袋本体１２の側壁に設けられ、隣り合う側壁間の切り込みを閉じるためのものとする。
カゴ車用ヒモ６２は、袋本体１２の側壁に設けられ、フレコンパック１０をカゴ車にしっかり固定するためのものとする。
上蓋用ヒモ６４は、各上部蓋体４２ａ〜４２ｄに設けられ、内容物の充填後、対向する上部蓋体同士を閉じている。
【００２０】
このように本実施形態においては、一方の輪で吊手１４、襷状の補強帯１８及び下部補強部分３４を構成し、他方の輪で吊手１６、襷状の補強帯２０及び下部補強部分３６を構成している。これにより、本実施形態においては、袋本体１２の側壁に吊手１４，１６と連続する略Ｘ字状補強部分３０，３２を構成し、さらに下部補強部分３４，３６を構成している。
【００２１】
本実施形態にかかるフレコンパック１０は概略以上のように構成され、以下にその作用について説明する。
内容物の充填時、図３（Ａ）に示されるように、フレコンパック１０は、カゴ車７０にセットされている。
【００２２】
内容物の充填後、同図（Ｂ）に示されるように、フレコンパック１０は、搬送のため吊手１４，１６が持ち上げられ、同図（Ｃ）に示されるように、カゴ車７０から搬出されることとなる。
ここで、フレコンパックは通常、内容物充填後、カゴ車からの搬出の際の作業性を良好にするための対策がなされていない。内容物の充填後、フレコンパックは、内容物により、空袋の時に比較し側壁が外側に膨らんでいる。このため従来方式のフレコンパックでは吊手を用いて上方に持ち上げようとしても、側壁がカゴ車の枠体に引っ掛かり、フレコンパックがカゴ車から抜けにくいことがある。
【００２３】
これに対し、本実施形態においては、図４（Ａ）に示されるような内容物の袋本体１２への充填完了後、フレコンパック１０のカゴ車７０からの搬出のため、同図（Ｂ）に示されるように吊手１４，１６を上方に持ち上げる。
本実施形態において、補強帯１８，２０は、吊手１４，１６に連続して設けられているので、吊手１４，１６が補強帯１８，２０をそれぞれ引っ張る。
ここで、補強帯１８，２０は、袋本体１２の側壁に略Ｘ字状に襷掛けされているので、側壁１２をそれぞれ内側に抱え込むように引っ張る。
すると、フレコンパック１０の側壁とカゴ車７０との間には、隙間７２が生じるので、カゴ車７０からフレコンパック１０をスムースに抜くことができる。このため本実施形態においては、内容物充填済フレコンパック１０をカゴ車７０から容易に搬出することができる。
【００２４】
しかも、本実施形態においては、側壁には補強帯１８，２０が略Ｘ字状に設けられているので、補強帯が縦方向ないし横方向のみに設けられているものに比較し、強度ないし耐久性が向上している。これにより本実施形態においては、内容物をしっかり保持しながら、フレコンパック１０のカゴ車７０からの搬出から内容物排出直前までの作業を良好に行うことができる。
【００２５】
また本実施形態においては、補強帯を、さらに袋本体の側壁下部に沿って設けている。
このため、本実施形態においては、これを袋本体の側壁下部に沿ってでなく、他の場所に設けたものに比較し、カゴ車からの搬出時には袋本体の側壁上部から側壁下部まで確実にカゴ車との隙間７２をつくることができるので、カゴ車からの搬出作業を、より確実に行うことができる。
しかも、本実施形態においては、袋本体の側壁上部から側壁下部まで確実に強度ないし耐久性のアップを図ることができるので、袋本体の破れ等を確実に防ぐことができる。これにより本実施形態においては、内容物の充填後から排出直前までの各種作業を、より確実に行うことができる。
【００２６】
ところで、内容物充填後の作業を良好に行うためには、内容物の排出作業を、より容易に行うことも非常に重要である。
フレコンパックから内容物を排出するため、底部にも吊手を設け、底部の吊手をクレーン等により引っ掛けてフレコンパック全体を反転させて、充填口を逆さまにして内容物を排出することも考えられるが、面倒である。
内容物の排出を容易に行うためには、袋本体の下部中央に排出口を設けることも非常に好ましい。
通常は袋本体の下部をヒモでしばることで排出口を閉じることが考えられるが、内容物の排出を行う際は、吊手をクレーン等により吊り上げ、袋本体の下部を縛っていたヒモをゆるめることで、排出口を開き、内容物を排出することができる。
一方、排出口を設けただけでは、内容物によっては、作業中に、内容物が排出口からこぼれ落ちてしまうことがある。これを防ぐためには、排出口をしっかり閉塞することも考えられるが、内容物排出時の作業性が悪くなる。
【００２７】
このようにフレコンパックでは、内容物排出直前までの各種作業における内容物保持の確実性と、内容物排出時の作業性との両立も非常に重要であるが、従来は、これらを確実に両立することは極めて困難であった。
【００２８】
この点に関し、本発明者らが、検討を進めたところ、袋本体に前述のように排出の作業性に優れた内側排出口を設けても、内側排出口に対し外蓋体を設け、さらに外蓋体が形成する外側排出口よりも大きいサイズの内蓋体を外蓋体の内側に設けるという簡単な内容物排出機構により、内容物排出直前までの各種作業における内容物保持の確実性と、内容物排出時の作業性との両立を確実に図ることができることを発見した。
【００２９】
図５には本実施形態において特徴的な内容物排出機構の概略構成が示されている。
同図（Ａ）は本実施形態のフレコンパック１０の外側排出口５４及び内側排出口４４を閉じている状態を下方より見た図、同図（Ｂ）は外側排出口５４のみを開いた状態を下方より見た図、同図（Ｃ）は更に内側排出口４４を開いた状態を下方より見た図である。
同図において、フレコンパック１０は、内容物の充填時に、内側排出口４４が内側排出口用開閉手段５０で閉じられている。また内容物の充填時には、同図（Ａ）に示されるように下部外蓋体４６ａ〜４６ｄが下部外蓋体用開閉手段５２で閉じられている。外側排出口５４が下部外蓋体４６ａ〜４６ｄの内側より下部内蓋体４８で閉じられている。
【００３０】
このように本実施形態において、内容物の充填から排出までの間、下部外蓋体の外側排出口を、下部外蓋体の内側から内蓋体がしっかり閉塞しているので、内容物を排出口からこぼすことなくしっかり保持することができる。これにより本実施形態においては、内容物の充填から排出直前までの作業を、より確実に行うことができる。
【００３１】
そして、内容物の排出時は、まず同図（Ｂ）に示されるように下部外蓋体用開閉手段５２で下部外蓋体４６ａ〜４６ｄと共に下部内蓋体４８を開くことにより、外側排出口５４が開かれる。
ここで、袋本体１２の下部は内側排出口用開閉手段５０で巾着結びされており、内側排出口４４が内側排出口用開閉手段５０で閉じられている。
このため、同図（Ｃ）に示されるように、さらに内側排出口用開閉手段５０をほどくと、内側排出口４４が開かれる。これにより、袋本体１２内の内容物が、内側排出口４４及び外側排出口５４を介して下方に排出される。
【００３２】
このように本実施形態においては、フレコンパックから内容物を排出する際、下部外蓋体用開閉手段５２、内側排出口用開閉手段５０を緩めるだけで、容易に外側排出口５４、内側排出口４４を開とすることができる。この結果、袋本体１２内の内容物は、これらの排出口から下方にスムースに排出することができる。
【００３３】
したがって、本実施形態においては、内容物の排出をスムースに行うため、袋本体の下部に内側排出口を設けても、排出までの各種作業時は内容物のこぼれを確実に防止することができるので、カゴ車からの搬出から内容物排出直前までの各種作業を、より確実に行うことができる。これにより、本実施形態においては、内容物の排出作業の良好性と、排出作業直前までの各種作業での内容物の保持性とを確実に両立することができる。
【００３４】
変形例
なお、本実施形態では、角形の袋本体を用いた例について説明したが、本発明はこれに限られるものでなく、円筒形等の各種形状のものを用いることができる。
本実施形態では、吊手、補強帯を構成する輪としてベルトを用いた例について説明したが、本発明はこれに限られるものでなく、ロープ等の各種形状のものに適用することができる。
本実施形態では、内容物として資源ごみを用いた例について説明したが、本発明はこれに限られるものでなく、廃材用、土木建築用、穀物用、野菜用、豆用等のような各種内容物に用いることができる。
【図面の簡単な説明】
【００３５】
【図１】本発明の一実施形態にかかるフレコンパックの概略構成の説明図である。
【図２】本実施形態にかかるフレコンパックの折り畳み図である。
【図３】本実施形態にかかるフレコンパックの充填及び搬出作業の説明図である。
【図４】本実施形態にかかるフレコンパックにおいて特徴的な補強機構の作用の説明図である。
【図５】本実施形態にかかるフレコンパックにおいて特徴的な内容物排出機構の説明図である。
【符号の説明】
【００３６】
１０  カゴ車専用フレコンパック（フレコンパック）
１２  袋本体
１４，１６  吊手
１８，２０  補強帯
２２  充填口
【図１】
2007091315.tif 000003
【図２】
2007091315.tif 000004
【図３】
2007091315.tif 000005
【図４】
2007091315.tif 000006
【図５】
2007091315.tif 000007